【手続補正書】
【提出日】平成28年4月25日(2016.4.25)
【手続補正１】
【補正対象書類名】明細書
【補正対象項目名】００５５
【補正方法】変更
【補正の内容】
【００５５】
上述の実施形態の目的は、本発明の保護範囲を限定するのではなく、むしろ本発明の技術スキームをさらに明らかにし説明することである。本発明中で開示されている内容にしたがって、当業者はまた、非イオン性セルロースエーテル及びカチオン性凝固剤の比率調整、任意の非イオン性セルロースエーテル及びカチオン性凝固剤の選択を含めた任意の修正及び改善を行なうかもしれない。このような修正及び改善は、保護範囲を逸脱するものではない。
本発明の実施態様の一部を以下の項目１−２０に列記する。
[１]
有効用量の非イオン性セルロースエーテル及びカチオン性凝固剤を製紙用パルプ中に添加することを含む、パルプ化及び製紙のプロセスにおいて有機汚染物質を脱粘着するための方法。
[２]
該非イオン性セルロースエーテルが、ヒドロキシエチルメチルセルロース、ヒドロキシエチルセルロース、ヒドロキシプロピルメチルセルロース、ヒドロキシプロピルセルロース、ヒドロキシブチルメチルセルロース、ヒドロキシブチルセルロース及びそれらの組合せからなる群から選択されることを特徴とする、項目１に記載の方法。
[３]
該非イオン性セルロースエーテルの分子量が１０，０００〜１，０００，０００の範囲にあり、該非イオン性セルロースエーテルのモル置換度が０．０１〜３．０の範囲にあることを特徴とする、項目１又は２に記載の方法。
[４]
該非イオン性セルロースエーテルの分子量が５０，０００〜５００，０００の範囲にあり、該非イオン性セルロースエーテルのモル置換度が０．５〜２．８の範囲にあることを特徴とする、項目１〜３のいずれか一項に記載の方法。
[５]
該非イオン性セルロースエーテルの分子量が８０，０００〜２５０，０００の範囲にあり、該非イオン性セルロースエーテルのモル置換度が１．５〜２．５の範囲にあることを特徴とする、項目１〜４のいずれか一項に記載の方法。
[６]
該カチオン性凝固剤が、硫酸アルミニウム、塩化アルミニウム、硫酸第二鉄、塩化第二鉄、ポリ硫酸アルミニウム、ポリ塩化アルミニウム、塩化水酸化アルミニウム、ポリ塩化硫酸アルミニウム、ポリ塩化ケイ酸アルミニウム、ポリ塩化第二鉄、ポリ硫酸第二鉄、ポリ塩化硫酸第二鉄、ポリ塩化ケイ酸第二鉄及びそれらの組合せからなる群から選択される無機凝固剤であることを特徴とする、項目１〜５のいずれか一項に記載の方法。
[７]
該カチオン性凝固剤が、エピハロヒドリンと脂肪族アミンの線状又は架橋コポリマー、ポリ（ジアリルジメチルアンモニウムクロリド）、第３級アミノカルボキシレート、ジアリルジメチルアンモニウムクロリド又はビニルアミンのカチオン性モノマーを含むコポリマー及びターポリマー、メラミン−ホルムアルデヒド樹脂、カチオン性デンプン、キトサン、カチオン性グアーガム及びそれらの組合せからなる群から選択される有機カチオン性凝固剤であることを特徴とする、項目１〜５のいずれか一項に記載の方法。
[８]
組成物中の非イオン性セルロースエーテルとカチオン性凝固剤の質量比率が１：０．１〜１：１００であることを特徴とする、項目１〜７のいずれか一項に記載の方法。
[９]
組成物中の非イオン性セルロースエーテルとカチオン性凝固剤の質量比率が１：０．５〜１：２０であることを特徴とする、項目８に記載の方法。
[１０]
組成物中の非イオン性セルロースエーテルとカチオン性凝固剤の質量比率が１：１〜１：１０であることを特徴とする、項目９に記載の方法。
[１１]
該パルプが、再生パルプ、コートブローク、脱墨パルプ、機械パルプ、高収率パルプ又はそれらの組合せを含むことを特徴とする、項目１〜１０のいずれか一項に記載の方法。
[１２]
該有機汚染物質が、パルプ化及び製紙のプロセスにおいて生産されるピッチ及び／又は粘着性異物であることを特徴とする、項目１〜１１のいずれか一項に記載の方法。
[１３]
非イオン性セルロースエーテル及びカチオン性凝固剤を含む、パルプ化又は製紙のプロセスにおいて有機汚染物質を脱粘着するために使用される、組成物。
[１４]
該非イオン性セルロースエーテルが、ヒドロキシエチルメチルセルロース、ヒドロキシエチルセルロース、ヒドロキシプロピルメチルセルロース、ヒドロキシプロピルセルロース、ヒドロキシブチルメチルセルロース、ヒドロキシブチルセルロース及びそれらの組合せからなる群から選択されることを特徴とする、項目１３に記載の組成物。
[１５]
該非イオン性セルロースエーテルの分子量が１０，０００〜１，０００，０００の範囲にあり、該非イオン性セルロースエーテルのモル置換度が０．０１〜３．０の範囲にあることを特徴とする、項目１３又は１４に記載の組成物。
[１６]
該カチオン性凝固剤が、硫酸アルミニウム、塩化アルミニウム、硫酸第二鉄、塩化第二鉄、ポリ硫酸アルミニウム、ポリ塩化アルミニウム、塩化水酸化アルミニウム、ポリ塩化硫酸アルミニウム、ポリ塩化ケイ酸アルミニウム、ポリ塩化第二鉄、ポリ硫酸第二鉄、ポリ塩化硫酸第二鉄、ポリ塩化ケイ酸第二鉄及びそれらの組合せからなる群から選択される無機凝固剤であることを特徴とする、項目１３〜１５のいずれか一項に記載の組成物。
[１７]
該カチオン性凝固剤が、エピハロヒドリンと脂肪族アミンの線状又は架橋コポリマー、ポリ（ジアリルジメチルアンモニウムクロリド）、第３級アミノカルボキシレート、ジアリルジメチルアンモニウムクロリド又はビニルアミンのカチオン性モノマーを含むコポリマー及びターポリマー、メラミン−ホルムアルデヒド樹脂、カチオン性デンプン、キトサン、カチオン性グアーガム及びそれらの組合せからなる群から選択される有機カチオン性凝固剤であることを特徴とする、項目１３〜１５のいずれか一項に記載の組成物。
[１８]
該組成物中の非イオン性セルロースエーテルとカチオン性凝固剤の質量比率が１：０．１〜１：１００であることを特徴とする、項目１３〜１７のいずれか一項に記載の組成物。
[１９]
該組成物中の非イオン性セルロースエーテルとカチオン性凝固剤の質量比率が１：０．５〜１：２０であることを特徴とする、項目１８に記載の組成物。
[２０]
該組成物中の非イオン性セルロースエーテルとカチオン性凝固剤の質量比率が１：１〜１：１０であることを特徴とする、項目１９に記載の組成物。
【手続補正２】
【補正対象書類名】特許請求の範囲
【補正対象項目名】全文
【補正方法】変更
【補正の内容】
【特許請求の範囲】
【請求項１】
有効用量の非イオン性セルロースエーテル及びカチオン性凝固剤を製紙用パルプ中に添加することを含む、パルプ化及び製紙のプロセスにおいて有機汚染物質を脱粘着するための方法であって、該カチオン性凝固剤が、硫酸アルミニウム、塩化アルミニウム、硫酸第二鉄、塩化第二鉄、ポリ硫酸アルミニウム、ポリ塩化アルミニウム、塩化水酸化アルミニウム、ポリ塩化硫酸アルミニウム、ポリ塩化ケイ酸アルミニウム、ポリ塩化第二鉄、ポリ硫酸第二鉄、ポリ塩化硫酸第二鉄、ポリ塩化ケイ酸第二鉄及びそれらの組合せからなる群から選択される無機凝固剤であることを特徴とする、方法。
【請求項２】
該非イオン性セルロースエーテルが、ヒドロキシエチルメチルセルロース、ヒドロキシエチルセルロース、ヒドロキシプロピルメチルセルロース、ヒドロキシプロピルセルロース、ヒドロキシブチルメチルセルロース、ヒドロキシブチルセルロース及びそれらの組合せからなる群から選択されることを特徴とする、請求項１に記載の方法。
【請求項３】
該非イオン性セルロースエーテルの分子量が１０，０００〜１，０００，０００の範囲にあり、該非イオン性セルロースエーテルのモル置換度が０．０１〜３．０の範囲にあることを特徴とする、請求項１又は２に記載の方法。
【請求項４】
該非イオン性セルロースエーテルの分子量が５０，０００〜５００，０００の範囲にあり、該非イオン性セルロースエーテルのモル置換度が０．５〜２．８の範囲にあることを特徴とする、請求項１〜３のいずれか一項に記載の方法。
【請求項５】
該非イオン性セルロースエーテルの分子量が８０，０００〜２５０，０００の範囲にあり、該非イオン性セルロースエーテルのモル置換度が１．５〜２．５の範囲にあることを特徴とする、請求項１〜４のいずれか一項に記載の方法。
【請求項６】
組成物中の非イオン性セルロースエーテルとカチオン性凝固剤の質量比率が１：０．１〜１：１００であることを特徴とする、請求項１〜５のいずれか一項に記載の方法。
【請求項７】
組成物中の非イオン性セルロースエーテルとカチオン性凝固剤の質量比率が１：０．５〜１：２０であることを特徴とする、請求項６に記載の方法。
【請求項８】
組成物中の非イオン性セルロースエーテルとカチオン性凝固剤の質量比率が１：１〜１：１０であることを特徴とする、請求項７に記載の方法。
【請求項９】
該パルプが、再生パルプ、コートブローク、脱墨パルプ、機械パルプ、高収率パルプ又はそれらの組合せを含むことを特徴とする、請求項１〜８のいずれか一項に記載の方法。
【請求項１０】
該有機汚染物質が、パルプ化及び製紙のプロセスにおいて生産されるピッチ及び／又は粘着性異物であることを特徴とする、請求項１〜９のいずれか一項に記載の方法。
【請求項１１】
非イオン性セルロースエーテル及びカチオン性凝固剤を含む、パルプ化又は製紙のプロセスにおいて有機汚染物質を脱粘着するために使用される、組成物であって、該カチオン性凝固剤が、硫酸アルミニウム、塩化アルミニウム、硫酸第二鉄、塩化第二鉄、ポリ硫酸アルミニウム、ポリ塩化アルミニウム、塩化水酸化アルミニウム、ポリ塩化硫酸アルミニウム、ポリ塩化ケイ酸アルミニウム、ポリ塩化第二鉄、ポリ硫酸第二鉄、ポリ塩化硫酸第二鉄、ポリ塩化ケイ酸第二鉄及びそれらの組合せからなる群から選択される無機凝固剤であることを特徴とする、組成物。
【請求項１２】
該非イオン性セルロースエーテルが、ヒドロキシエチルメチルセルロース、ヒドロキシエチルセルロース、ヒドロキシプロピルメチルセルロース、ヒドロキシプロピルセルロース、ヒドロキシブチルメチルセルロース、ヒドロキシブチルセルロース及びそれらの組合せからなる群から選択されることを特徴とする、請求項１１に記載の組成物。
【請求項１３】
該非イオン性セルロースエーテルの分子量が１０，０００〜１，０００，０００の範囲にあり、該非イオン性セルロースエーテルのモル置換度が０．０１〜３．０の範囲にあることを特徴とする、請求項１１又は１２に記載の組成物。
【請求項１４】
該組成物中の非イオン性セルロースエーテルとカチオン性凝固剤の質量比率が１：０．１〜１：１００であることを特徴とする、請求項１１〜１３のいずれか一項に記載の組成物。
【請求項１５】
該組成物中の非イオン性セルロースエーテルとカチオン性凝固剤の質量比率が１：０．５〜１：２０であることを特徴とする、請求項１４に記載の組成物。
【請求項１６】
該組成物中の非イオン性セルロースエーテルとカチオン性凝固剤の質量比率が１：１〜１：１０であることを特徴とする、請求項１５に記載の組成物。